(57)【要約】【課題】不要輻射ノイズを低減して高速差動信号伝送を行うことを目的とする。【解決手段】送信情報を送信するドライバ１２と受信情報を受信するレシーバ１４間を２本の伝送線路で接続し、当該伝送線路の間に高速差動信号伝送ノイズフィルタ１０を接続する。高速差動信号伝送ノイズフィルタ１０は、リングフィルタのリング部を信号伝送方向に沿った方向を長辺とした長方形に変形した変形リングフィルタ２０を伝送線路とし、スタブについても信号の伝送方向と直行する方向の長さより伝送方向の長さの方が長くなるように変形する。そして、変形リングフィルタ２０のスタブ２０Ａのない側が対向するように配置して、シングルエンド信号の伝送線路を差動信号の伝送線路とする。【選択図】図１
2013115575.tif 000002
【特許請求の範囲】
【請求項１】
無端状に配線が形成されて信号の入出力点を有するリング部、及び当該リング部に一端が接続されて他端が開放されたスタブ部を有して、差動信号の一方の伝送路とされた第１のリングフィルタと、
前記リング部と同じ構成の他のリング部、及び当該リング部に一端が接続されて他端が開放されたスタブ部を有して、前記第１のリングフィルタの前記スタブがない方に対向して配置され、差動信号の他方の伝送路とされた第２のリングフィルタと、
を備えた高速差動信号伝送ノイズフィルタ。
【請求項２】
前記第１のリングフィルタ及び前記第２のリングフィルタを、信号の伝送方向と直行する方向の長さより伝送方向の長さの方が長くなるように変形した請求項１に記載の高速差動信号伝送ノイズフィルタ。
【請求項３】
前記第１のリングフィルタ及び前記第２のリングフィルタによる差動信号を１チャンネルとして複数配列する場合、チャンネル間の前記スタブの向きが逆になるように配列する請求項１又は請求項２に記載の高速差動信号伝送ノイズフィルタ。
【請求項４】
前記第１のリングフィルタ及び前記第２のリングフィルタのそれぞれのリング部の入力点側及び出力点側の少なくとも一方にＡＣ結合回路を更に接続した請求項１〜３の何れか１項に記載の高速差動信号伝送ノイズフィルタ。
【請求項５】
前記第１のリングフィルタ及び前記第２のリングフィルタのそれぞれのリング部に接続されるスタブの位置及び長さを予め定めた通過帯域に応じて調整した請求項１〜４の何れか１項に記載の高速差動信号伝送ノイズフィルタ。
【請求項６】
送信情報を差動信号に変換して送信する送信手段と、
前記送信手段によって変換されて送信された差動信号を受信情報に変換して受信する受信手段と、
前記送信手段と前記受信手段間に設けられた請求項１〜５の何れか１項に記載の高速差動信号伝送ノイズフィルタと、
を備えたシリアル伝送システム。
【発明の詳細な説明】
【技術分野】
【０００１】
本発明は、高速差動信号伝送ノイズフィルタ及びシリアル伝送システムに関する。
【背景技術】
【０００２】
集積回路などにおいて、信号伝送時に不要輻射ノイズなどのノイズを低減するために各種技術が提案されている。
【０００３】
例えば、特許文献１に記載の技術では、伝送対象となる源信号と同極性のホット側信号を伝送するホット側ラインに挿入されるインダクタ素子を形成する導体パターンと、源信号を反転した極性を有するコールド側信号を伝送するコールド側ラインに挿入されるインダクタ素子を形成する導体パターンとを組とし、異なる組の導体パターン間の距離を、同組内のホット側導体パターンとコールド側導体パターンとの間の距離よりも大きく設定したインダクタアレイを構成することが提案されている。これにより、差動信号の伝送ラインのノイズ除去などに用いる際に、異なる源信号の差動信号ライン間に生ずるクロストークを抑制することができる。
【０００４】
また、特許文献２に記載の技術では、電源面と接地面との間の層内に複数のペアの信号線を設けた多層配線基板において、ペアの信号線間に信号線の信号伝送方向に沿って交互に電源面と接地面へ接続するビアを所定間隔で形成することが提案されている。これによって、多層配線基板に形成された信号伝送路の配線構造で、特に隣接配線からのノイズの低減を図ることができる。
【先行技術文献】
【特許文献】
【０００５】
【特許文献１】特開平１１−１６７３７号公報
【特許文献２】特開平１１−１２１９２８号公報
【発明の概要】
【発明が解決しようとする課題】
【０００６】
本発明は、不要輻射ノイズを低減して高速差動信号伝送を行うことを目的とする。
【課題を解決するための手段】
【０００７】
請求項１に記載の高速差動信号伝送ノイズフィルタは、無端状に配線が形成されて信号の入出力点を有するリング部、及び当該リング部に一端が接続されて他端が開放されたスタブ部を有して、差動信号の一方の伝送路とされた第１のリングフィルタと、前記リング部と同じ構成の他のリング部、及び当該リング部に一端が接続されて他端が開放されたスタブ部を有して、前記第１のリングフィルタの前記スタブがない方に対向して配置され、差動信号の他方の伝送路とされた第２のリングフィルタと、を備えることを特徴としている。
【０００８】
請求項２に記載の発明は、請求項１に記載の発明において、前記第１のリングフィルタ及び前記第２のリングフィルタを、信号の伝送方向と直行する方向の長さより伝送方向の長さの方が長くなるように変形したことを特徴としている。
【０００９】
請求項３に記載の発明は、請求項１又は請求項２に記載の発明において、前記第１のリングフィルタ及び前記第２のリングフィルタによる差動信号を１チャンネルとして複数配列する場合、チャンネル間の前記スタブの向きが逆になるように配列することを特徴としている。
【００１０】
請求項４に記載の発明は、請求項１〜３の何れか１項に記載の発明において、前記第１のリングフィルタ及び前記第２のリングフィルタのそれぞれのリング部の入力点側及び出力点側の少なくとも一方にＡＣ結合回路を更に接続したことを特徴としている。
【００１１】
請求項５に記載の発明は、請求項１〜４の何れか１項に記載の発明において、前記第１のリングフィルタ及び前記第２のリングフィルタのそれぞれのリング部に接続されるスタブの位置及び長さを予め定めた通過帯域に応じて調整したことを特徴としている。
【００１２】
請求項６に記載のシリアル伝送システムは、送信情報を差動信号に変換して送信する送信手段と、前記送信手段によって変換されて送信された差動信号を受信情報に変換して受信する受信手段と、前記送信手段と前記受信手段間に設けられた請求項１〜５の何れか１項に記載の高速差動信号伝送ノイズフィルタと、を備えることを特徴としている。
【発明の効果】
【００１３】
請求項１、６に記載の発明によれば、２つのリングフィルタを差動信号として利用しない場合と比べて、不要輻射ノイズを低減して高速差動信号伝送を行うことができる、という効果がある。
【００１４】
請求項２に記載の発明によれば、リングフィルタを変形しない場合に比べて、高集積化が可能となる、という効果がある。
【００１５】
請求項３に記載の発明によれば、チャンネル間のスタブの向きが同方向になるように配置した場合に比べて、クロストークを抑制することができる、という効果がある。
【００１６】
請求項４に記載の発明によれば、ＡＣ結合回路を接続しない場合に比べて、低周波域のノイズを抑制することができる、という効果がある。
【００１７】
請求項５に記載の発明によれば、バンドパスフィルタの通過帯域を調整することができる、という効果がある。
【図面の簡単な説明】
【００１８】
【図１】（Ａ）は本発明第１実施形態に係わる高速差動信号伝送ノイズフィルタを備えたシリアル伝送システムの概略構成を示す図であり、（Ｂ）は本発明の第１実施形態に係わる高速差動信号伝送ノイズフィルタの詳細な構成を示す図である。
【図２】（Ａ）は一般的なリングフィルタを示す図であり、（Ｂ）は一般的なリングフィルタの特性を示す図である。
【図３】（Ａ）は変形リングフィルタの一例を示す図であり、（Ｂ）は変形リングフィルタを差動信号として本発明の第１実施形態に係わる高速差動信号伝送ノイズフィルタとした図である。
【図４】（Ａ）は一般的なリングフィルタのＳパラメータを示す図であり、（Ｂ）は変形リングフィルタのＳパラメータを示す図であり、（Ｃ）は本発明の第１実施形態に係わる差動信号伝送ノイズフィルタのＳパラメータを示す図である。
【図５】本発明の第１実施形態に係わる高速差動信号伝送ノイズフィルタにおける差動モード（ディファレンシャルモード）の透過特性（Ｓｄｄ２１）を示す図である。
【図６】（Ａ）は本発明の第１実施形態に係わる高速差動信号伝送ノイズフィルタをスタブの方向を同じ向きに隣接して配置して２チャンネルとした例を示す図であり、（Ｂ）は変形リングフィルタのスタブの有る側を対向配置して差動信号としスタブの方向を同じ向きに隣接配置して２チャンネルとした例を示す図である。
【図７】本発明の第１実施形態に係わる高速差動信号伝送ノイズフィルタをスタブの方向を同じ向きに隣接して配置した場合と、変形リングフィルタのスタブの有る側を対向配置して差動信号としスタブの方向を同じ向きに隣接配置した場合のそれぞれのクロストーク（｜Ｓｄｄ２１｜ＮＥＸＴ）を示す図である。
【図８】（Ａ）は本発明の第１実施形態に係わる高速差動信号伝送ノイズフィルタを２チャンネル配置してチャンネル間のスタブの方向を逆向きにして隣接配置した例を示す図であり、（Ｂ）は高速差動信号伝送ノイズフィルタをチャンネル間のスタブの方向を逆向きにして隣接配置した場合と、高速差動信号伝送ノイズフィルタをチャンネル間のスタブの方向を同じ向きにして隣接配置した場合のそれぞれのクロストーク（｜Ｓｄｄ２１｜ＮＥＸＴ）を示す図である。
【図９】（Ａ）は本発明の第２実施形態に係わる高速差動信号伝送ノイズフィルタの概略構成を示す図であり、（Ｂ）は本発明の第２実施形態に係わる高速差動信号伝送ノイズフィルタのＳパラメータを示す図であり、（Ｃ）は本発明の第２実施形態に係わる高速差動信号伝送ノイズフィルタの差動モード（ディファレンシャルモード）の透過特性（Ｓｄｄ２１）を示す図である。
【図１０】（Ａ）は本発明の第３実施形態に係わる高速差動信号伝送ノイズフィルタの概略構成を示す図であり、（Ｂ）は本発明の第３実施形態に係わる高速差動信号伝送ノイズフィルタのＳパラメータを示す図であり、（Ｃ）は本発明の第３実施形態に係わる高速差動信号伝送ノイズフィルタの差動モード（ディファレンシャルモード）の透過特性（Ｓｄｄ２１）を示す図である。
【図１１】本発明の第３実施形態に係わる高速差動信号伝送ノイズフィルタを同方向に隣接配置した場合、高速差動信号伝送ノイズフィルタを逆方向に隣接配置した場合、及び高速差動信号伝送ノイズフィルタを逆方向かつ上記よりも近くに隣接配置した場合のそれぞれのクロストーク（｜Ｓｄｄ２１｜ＮＥＸＴ）を示す図である。
【発明を実施するための形態】
【００１９】
以下、図面を参照して本発明の実施の形態の一例を詳細に説明する。
【００２０】
（第１実施形態）
図１（Ａ）は、本発明第１実施形態に係わる高速差動信号伝送ノイズフィルタを備えたシリアル伝送システムの概略構成を示す図であり、図１（Ｂ）は、本発明の第１実施形態に係わる高速差動信号伝送ノイズフィルタの詳細な構成を示す図である。
【００２１】
図１（Ａ）に示すように、本発明の第１実施形態に係わる高速差動信号伝送ノイズフィルタ１０は、差動信号の伝送線路間に設けられている。差動信号は、２本の信号線を用いて１つの信号を伝送する方式であり、２本の伝送線路間の電圧差を使って信号を伝送するので、これらの線にノイズが混入してもキャンセルでき、シングルエンド信号に比べてノイズの少ない高速伝送が可能であるという特徴を有している。
【００２２】
高速差動信号伝送ノイズフィルタ１０は、詳細には、図１（Ａ）に示すように、送信情報を送信するドライバ１２と受信情報を受信するレシーバ１４間が２本の伝送線路で接続され、当該伝送線路の間に高速差動信号伝送ノイズフィルタ１０が接続されている。すなわち、送信情報は、ドライバ１２によって差動信号に変換されて伝送線路へ送信されて、高速差動信号伝送ノイズフィルタ１０を介してレシーバ１４が受信して、レシーバ１４によって受信情報として読み出される。
【００２３】
高速差動信号伝送ノイズフィルタ１０は、図１（Ｂ）に示す構成とされており、差動信号のそれぞれの伝送線路に対応して設けられた２つの変形リングフィルタ２０で構成されている。当該変形リングフィルタ２０がバンドパスフィルタとして機能することにより、差動信号の輻射不要ノイズが低減されて高速差動信号伝送が行われる。
【００２４】
ここで、一般的なリングフィルタについて説明する。図２（Ａ）は、一般的なリングフィルタを示す図であり、図２（Ｂ）は、一般的なリングフィルタの特性を示す図である。
【００２５】
リングフィルタ１８は、図２（Ａ）に示すように、配線が無端状に形成されたリング部１８Ａと、当該リング部１８Ａに接続された配線のスタブ１８Ｂで構成され、入力ポート１８Ｃ及び出力ポート１８Ｄが直接リング部１８Ａに接続されている。
【００２６】
リング部１８Ａは、リングの中心に対して左右対称とされている。リング部１８Ａの実効長は、通過中心周波数の波長λの長さと同じ長さλとされ、入力ポート１８Ｃからλ／２離れた点を出力ポート１８Ｄとして、入力ポート１８Ｃからλ／４離れた点からλ／４と同じ長さの配線（スタブ１８Ｂ）が接続されている。スタブ１８Ｂは一端がリング部１８Ａに接続されて他端が開放されている。
【００２７】
リングフィルタ１８は、図２（Ｂ）に示す特性を有している。すなわち、中心周波数に対して対象な周波数位置に減衰周波数を有している。減衰周波数の波長は、中心周波数の波長λに対して、それぞれ３λ／４、５λ／４の波長となる。また、減衰周波数間では、通過損失が少なく低損失で、平坦な特性であることから、バンドパスフィルタとして機能する。
【００２８】
本実施形態に係わる高速差動信号伝送ノイズフィルタ１０は、このようなリングフィルタ１８を変形したものであり、図３（Ａ）に示すように、リングフィルタ１８を信号の伝送方向と直行する方向の長さより伝送方向の長さの方が長くなるように変形したものである。具体的には、リングフィルタ１８のリング部１８Ａを信号伝送方向（図３（Ａ）の１→２方向）に沿った方向を長辺とした長方形に変形した変形リングフィルタ２０を伝送線路とし、スタブ１８Ｂについても信号の伝送方向と直行する方向の長さより伝送方向の長さの方が長くなるように変形している。そして、変形リングフィルタ２０のスタブ２０Ａのない側が対向するように配置して、図３（Ｂ）に示すように、シングルエンド信号の伝送線路を差動信号の伝送線路としている。すなわち、２つの変形リングフィルタ２０が差動信号のそれぞれの伝送線路とされている。なお、本実施の形態では、リング部１８Ａを長方形に変形したものとして説明するが、楕円に変形するようにしてもよい。また、本実施形態では、伝送方向に沿った方向を長辺とした長方形に変形するものとしたが、伝送方向と直行する方向を長辺とした長方形としてもよい。
【００２９】
続いて、一般的なリングフィルタ１８の特性と比較しながら、本発明第１実施形態に係わる高速差動信号伝送ノイズフィルタ１０の特性について説明する。
【００３０】
図４（Ａ）は、一般的なリングフィルタ１８のＳパラメータを示す図であり、図４（Ｂ）は変形リングフィルタ２０のＳパラメータを示す図であり、図４（Ｃ）は、本発明の第１実施形態に係わる差動信号伝送ノイズフィルタ１０のＳパラメータを示す図である。なお、図中の「Ｓ１１」は、図３に示す入力（１）側からどれくらい反射して入力（１）側に戻ってくるかを表すパラメータであり、「Ｓ２１」は入力（１）側からどれくらい出力（２）側へ通過するかを表すパラメータであり、同様に、「Ｓ３１」、「Ｓ４１」は、入力（１）側からどれくらい出力（３）、（４）側へ通過するかを表すパラメータである。
【００３１】
図４（Ａ）、（Ｂ）を比較して分かるように、リングフィルタ１８を変形した変形リングフィルタ２０も、リングフィルタ１８と同様に、２つの減衰周波数を有して減衰周波数間が平坦な特性となっている。すなわち、変形リングフィルタ２０もバンドパスフィルタとして機能する。また、図４（Ｂ）から分かるように、変形リングフィルタ２０とすることにより、入力側へ反射して戻ってくるノイズが低減される。
【００３２】
そして、変形リングフィルタ２０を差動信号としても、図４（Ｃ）に示すように、「Ｓ２１」パラメータは２つの減衰周波数を有して減衰周波数間が平坦な特性が維持されるので、バンドパスフィルタと機能することが分かる。
【００３３】
図５は、本発明の第１実施形態に係わる高速差動信号伝送ノイズフィルタ１０における差動モード（ディファレンシャルモード）の透過特性（Ｓｄｄ２１）を示す図である。なお、Ｓｄｄ２１は、差動モード（逆位相の信号を差動信号として送信）で差動信号を入力から出力へ送信したときに、どれくらい出力へ伝達されるかを表すパラメータである。
【００３４】
図５に示すように、差動信号のＳｄｄ２１パラメータも２つの減衰周波数を有して減衰周波数間が平坦な特性が維持されるので、バンドパスフィルタと機能することが分かる。
【００３５】
すなわち、変形リングフィルタ２０をスタブ２０Ａのない側を対向配置して差動信号の伝送線路として適用することで、バンドパスフィルタとして機能するので、不要輻射ノイズが低減される。従って、不要輻射ノイズを低減して高速差動信号伝送が可能となる。
【００３６】
続いて、本発明の第１実施形態に係わる高速差動信号伝送ノイズフィルタ１０を隣接して配置する場合について説明する。
【００３７】
図６（Ａ）は、本発明の第１実施形態に係わる高速差動信号伝送ノイズフィルタ１０をスタブ２０Ａの方向を同じ向きに隣接して配置して２チャンネルとした例を示す図であり、図６（Ｂ）は、変形リングフィルタ１０のスタブ２０Ａの有る側を対向配置して差動信号としスタブ２０Ａの方向を同じ向きに隣接配置して２チャンネルとした例を示す図であり、図７は、本発明の第１実施形態に係わる高速差動信号伝送ノイズフィルタ１０をスタブ２０Ａの方向を同じ向きに隣接して配置した場合と、変形リングフィルタ１０のスタブ２０Ａの有る側を対向配置して差動信号としスタブ２０Ａの方向を同じ向きに隣接配置した場合のそれぞれのクロストーク（｜Ｓｄｄ２１｜ＮＥＸＴ）を示す図である。なお、図６では、近端クロストーク（｜Ｓｄｄ２１｜ＮＥＸＴ）を測定するために一端に抵抗を接続した図を示す。
【００３８】
図７に示すように、本発明の第１実施形態に係わる高速差動信号伝送ノイズフィルタ１０（図１（Ｂ）に示す構成）をスタブ２０Ａの方向を同じ向きとして隣接した方（図６（Ａ））が、変形リングフィルタ２０のスタブ２０Ａが有る側を対向配置して差動信号としてスタブ２０Ａの方向を同じ向きに隣接配置した場合（図６（Ｂ））よりも、全体のノイズレベルが低くなっていることがわかる。
【００３９】
また、図８（Ａ）は、本発明の第１実施形態に係わる高速差動信号伝送ノイズフィルタ１０を２チャンネル配置してチャンネル間のスタブ２０Ａの方向を逆向きにして隣接配置した例を示す図であり、図８（Ｂ）は、高速差動信号伝送ノイズフィルタ１０をチャンネル間のスタブ２０Ａの方向を逆向きにして隣接配置した場合（図８（Ａ））と、高速差動信号伝送ノイズフィルタ１０をチャンネル間のスタブ２０Ａの方向を同じ向きにして隣接配置した場合（図６（Ａ））のそれぞれのクロストーク（｜Ｓｄｄ２１｜ＮＥＸＴ）を示す図である。なお、図８（Ａ）では、近端クロストーク（｜Ｓｄｄ２１｜ＮＥＸＴ）を測定するために一端に抵抗を接続した図を示す。
【００４０】
図８（Ｂ）に示すように、本発明の第１実施形態に係わる高速差動信号伝送ノイズフィルタ１０（図１（Ｂ）に示す構成）をスタブ２０Ａの方向を逆向きとして隣接配置した方が、高速差動信号伝送ノイズフィルタ１０をスタブ２０Ａの方向を同じ向きにして隣接配置した場合よりも、全体のノイズレベルが低くなっていることがわかる。
【００４１】
従って、本発明の第１実施形態に係わる高速差動信号伝送ノイズフィルタ１０は、スタブ２０Ａの方向を逆向きにして隣接配置することにより、高密度に配列してもクロストークが抑制される。
【００４２】
（第２実施形態）
続いて、本発明の第２実施形態に係わる高速差動信号伝送ノイズフィルタについて説明する。
【００４３】
図９（Ａ）は、本発明の第２実施形態に係わる高速差動信号伝送ノイズフィルタの概略構成を示す図であり、図９（Ｂ）は、本発明の第２実施形態に係わる高速差動信号伝送ノイズフィルタのＳパラメータを示す図であり、図９（Ｃ）は、本発明の第２実施形態に係わる高速差動信号伝送ノイズフィルタの差動モード（ディファレンシャルモード）の透過特性（Ｓｄｄ２１）を示す図である。なお、第１実施形態と同一部分については同一符号を付して説明する。
【００４４】
本実施形態に係わる高速差動信号伝送ノイズフィルタ３０は、図９（Ａ）に示すように、第１実施形態に対してＡＣ結合回路（ＤＣブロック回路ともいう）２２が設けられている。すなわち、差動信号の伝送線路としてのそれぞれの変形リングフィルタ２０の入力点側に、ＡＣ結合回路２２がそれぞれ接続されている。
【００４５】
ＡＣ結合回路２２を追加した場合のＳパラメータのＳ２１は、図９（Ｂ）に示すように、ＡＣ結合回路２２を追加しても、２つの減衰周波数を有し、減衰周波数間は平坦な特性が維持されるので、バンドパスフィルタの機能が維持される。
【００４６】
また、図９（Ｃ）に示すように、Ｓｄｄ２１パラメータについても、ＡＣ結合回路２２を追加しても、２つの減衰周波数を有し、減衰周波数間は平坦な特性が維持されるので、バンドパスフィルタの機能が維持される。さらに、本実施の形態では、ＡＣ結合回路２２を追加することによって、ＡＣ結合回路２２を追加しない場合よりも低周波数帯域のノイズが低減される。
【００４７】
なお、第２実施形態では、変形リングフィルタ２０の入力点側にＡＣ結合回路２２を接続するようにしたが、これに限るものではなく、差動信号の伝送線路としてのそれぞれの変形リングフィルタ２０の出力点側にＡＣ結合回路２２をそれぞれ接続するようにしてもよいし、入力点側及び出力点側のそれぞれにＡＣ結合回路２２をそれぞれ接続するようにしてもよい。
【００４８】
（第３実施形態）
次に、本発明の第３実施形態に係わる高速差動信号伝送ノイズフィルタについて説明する。
【００４９】
図１０（Ａ）は、本発明の第３実施形態に係わる高速差動信号伝送ノイズフィルタの概略構成を示す図であり、図１０（Ｂ）は、本発明の第３実施形態に係わる高速差動信号伝送ノイズフィルタのＳパラメータを示す図であり、図１０（Ｃ）は、本発明の第３実施形態に係わる高速差動信号伝送ノイズフィルタの差動モード（ディファレンシャルモード）の透過特性（Ｓｄｄ２１）を示す図である。
【００５０】
本実施形態に係わる高速差動信号伝送ノイズフィルタ４０は、図１０（Ａ）に示すように、第２実施形態に係わる高速差動信号伝送ノイズフィルタ３０に対して、差動信号の伝送線路となる各変形リングフィルタ２０におけるスタブ２０Ａの位置及び長さを調整したものである。なお、第１実施形態に係わる高速差動信号伝送ノイズフィルタ１０に対して、差動信号の伝送線路となる各変形リングフィルタ２０におけるスタブ２０Ａの位置及び長さを調整する構成としてもよい。
【００５１】
変形リングフィルタ２０のスタブ２０Ａの位置及び長さを調整することにより、減衰周波数が変化して、図１０（Ｂ）に示すように、バンドパスフィルタとして通過する周波数帯域が変化する。また、図１０（Ｃ）に示すように、Ｓｄｄ２１パラメータについても、バンドパスフィルタの機能を維持しつつ、通過周波数の帯域が調整されていることが分かる。
【００５２】
従って、スタブ２０Ａの位置及び長さを調整することにより、バンドパスフィルタの通過帯域を広くしたり、狭くしたり、或いは中心周波数を変更したりなどの通過帯域の調整を行うことが可能となる。
【００５３】
図１１は、本発明の第３実施形態に係わる高速差動信号伝送ノイズフィルタ４０を同方向に隣接配置した場合、高速差動信号伝送ノイズフィルタ４０を逆方向に隣接配置した場合、及び高速差動信号伝送ノイズフィルタ４０を逆方向かつ上記より近くに隣接配置した場合のそれぞれのクロストーク（｜Ｓｄｄ２１｜ＮＥＸＴ）を示す図である。
【００５４】
図１１に示すように、本実施形態においても、スタブ２０Ａが同方向となるように隣接配置するよりも、スタブ２０Ａが逆方向となるように隣接配置した方がクロストークが抑制される。また、スタブ２０Ａが逆方向かつ近くに隣接配置してもスタブ２０Ａが同方向となるように隣接配置した場合とクロストークのレベルを同じレベルにすることが可能となる。
【００５５】
従って、第３実施形態に係わる高速差動信号伝送ノイズフィルタ４０についても、スタブ２０Ａが逆方向となるように隣接配置することにより、高密度に集積してもクロストークが抑制される。  
【００５６】
なお、本実施形態では、変形リングフィルタ２０のスタブの位置及び長さを共に調整する例を説明したが、何れか一方のみを調整して、バンドパスフィルタの帯域を調整するようにしてもよい。
【符号の説明】
【００５７】
１０、３０、４０    高速差動信号伝送ノイズフィルタ
１２    ドライバ
１４    レシーバ
２０    変形リングフィルタ
２２    ＡＣ結合回路
【図１】
2013115575.tif 000003
【図２】
2013115575.tif 000004
【図３】
2013115575.tif 000005
【図６】
2013115575.tif 000006
【図４】
2013115575.tif 000007
【図５】
2013115575.tif 000008
【図７】
2013115575.tif 000009
【図８】
2013115575.tif 000010
【図９】
2013115575.tif 000011
【図１０】
2013115575.tif 000012
【図１１】
2013115575.tif 000013